(57)【特許請求の範囲】
【請求項１】
縦長の開口を形成した縦長の板材であるストライク板と、このストライク板の裏面側においてこれに一体的に結合されたトロヨケと、ストライク板の開口の一端においてこれを閉塞すると共に、水平な横軸に支承され、開口から突出する方向に傾動可能な係合部を備えた係合部材とを有し、引戸錠の本体フレームから突出入されるカマを係合部に係脱させるにあたり、その係合部の傾きを調節して適切な傾き位置でこれを安定に固定するものであって、上記係合部の両側端縁に、トロヨケ内において夫々上下方向に延在する側板を係合部の部分において断面コ字形になるように一体に連結し、係合部の付近における側板の基端を横軸によって揺動可能に支承すると共に、両側板の前方に傾斜面を形成し、この傾斜面の傾斜方向を、側板の自由端が先端ほど細くなるように、かつ、先端ほど傾斜面が後方になるように設定し、一方、ストライク板の開口の他端側に、トロヨケのフランジの裏面と上下方向に摺接可能に案内された連結部と、この連結部の両側端縁に一体に結合され、トロヨケのスリットを通じてトロヨケ内に差し込まれる一対の側板を有する調整部材を設け、トロヨケ内において上下方向に延在する側板の前方をストライク板と平行に成形すると共に、トロヨケの一部を変形させた突起に摺接させて上下方向に移動可能に案内し、また、側板の後方に係合部材の傾斜面と係合可能な傾斜面を形成し、この傾斜面の傾斜方向を、先端ほど細くなるように、かつ、先端ほど傾斜面が前方になるように設定し、他方、係合部材にはその傾斜面が調整部材の傾斜面に当接する方向に向くように付勢させたばねを施し、調整部材を上下させることにより、その先端と係合部材の傾斜面との当接位置を変え、これによって係合部の傾斜角度を調節し、適切な位置で調整部材の位置をストライクフレームにねじ止めにより固定することを特徴とする引戸錠のストライク。
【発明の詳細な説明】
【０００１】
【発明の属する技術分野】
この発明は、引戸錠のストライクの改良に関する。さらに詳しくは、引戸錠の本体フレームから突出入されるカマが係脱されるストライクの改良に関する。
【０００２】
【従来の技術】
引戸の戸先又は引違い戸の召し合せ部分に取り付けられる引戸錠のカマと、そのカマが選択的に係合するストライクとは、適切な相対位置を取らないと、係合時両者間に緩みが生じて引戸にがたつきを発生することになる。極端な場合には係合が困難にすらなる。
【０００３】
引戸錠の取り付け時や長期の使用後において、カマとストライクとの間の相対位置を適正に調整し又は再調整するための従来の調整式のストライクとしては、いくつかのものが提案されているが、それぞれ解決すべき欠点を有している。
【０００４】
実公昭５８−４６１９４号公報あるいは実開昭６１−１７３６６５号公報に示されたストライクは、ストライクフレームに枢支された係合部材を雄ねじと雌ねじとの組で成るねじ調整手段で揺動変位できるようにしたものであるが、使用中取付部材（戸枠又は引戸）の揺動でねじ調整手段がねじ込み側又は緩み側に回動し、係合部材が変動し易いこと、また、構造がかなり複雑であるなどの問題を有する。
【０００５】
また、実開昭５８−１４３９４７号公報に示されたストライクは、ストライクフレームに枢支された係合部材をスライドプレートの摺動によりピンと長孔との組で成る連係手段を介して揺動変位できるようにしたものであるが、機能の割に構造が複雑すぎる欠点を有する。
【０００６】
更に、実公平３−３０５２９号公報に示されたストライクは、係止部を有する係合部材をストライクフレーム（固定枠）に対して、前後方向に軸支して成ると共に、上記軸支点を上下方向に移動可能に形成してあり、係合部材のうち、軸支点とは別位置に回動軸を軸支し、回動軸の両端を上記ストライクフレームに形成した傾斜長孔に移動可能に嵌挿してなり、回動軸には、軸心と直交するねじ孔を形成し、ねじ孔には回動軸移動用の操作ねじを螺合して成る。
【０００７】
この考案によるストライクは、係合部材を出入調整しても係止部の上下位置が大きく変動しないように改良して、より取付けの融通性を増し、カマの係合を確実にしたものであるが、使用中取付け部材（戸枠又は引戸）の揺動でねじ調整手段がねじ込み側又は緩み側に回動し、係合部材が変動し易いこと、及び、部品点数が多く構造が極めて複雑で、コスト高になることなどの問題がある。
【０００８】
【発明が解決しようとする課題】
この発明の引戸錠のストライクは、前記の問題点を悉く解決することを目的として提案されたものである。要するに、この発明の引戸錠のストライクは、構造を簡単にすること、部品点数を減少させること、組み立てにおける工程数を減じること、ひいてはコストダウンを計ること、また、長期の使用においても係合部材を位置決めする調整部材のストライクフレームに対する適正位置からの振動による変動がないようにすることを目的としている。
【０００９】
【課題を解決するための手段】
上記の目的を解決するため、この発明は、縦長の開口を形成した縦長の板材であるストライク板と、このストライク板の裏面側においてこれに一体的に結合されたトロヨケと、ストライク板の開口の一端においてこれを閉塞すると共に、水平な横軸に支承され、開口から突出する方向に傾動可能な係合部を備えた係合部材とを有し、引戸錠の本体フレームから突出入されるカマを係合部に係脱させるにあたり、その係合部の傾きを調節して適切な傾き位置でこれを安定に固定するものであって、上記係合部の両側端縁に、トロヨケ内において夫々上下方向に延在する側板を係合部の部分において断面コ字形になるように一体に連結し、係合部の付近における側板の基端を横軸によって揺動可能に支承すると共に、両側板の前方に傾斜面を形成し、この傾斜面の傾斜方向を、側板の自由端が先端ほど細くなるように、かつ、先端ほど傾斜面が後方になるように設定し、一方、ストライク板の開口の他端側に、トロヨケのフランジの裏面と上下方向に摺接可能に案内された連結部と、この連結部の両側端縁に一体に結合され、トロヨケのスリットを通じてトロヨケ内に差し込まれる一対の側板を有する調整部材を設け、トロヨケ内において上下方向に延在する側板の前方をストライク板と平行に成形すると共に、トロヨケの一部を変形させた突起に摺接させて上下方向に移動可能に案内し、また、側板の後方に係合部材の傾斜面と係合可能な傾斜面を形成し、この傾斜面の傾斜方向を、先端ほど細くなるように、かつ、先端ほど傾斜面が前方になるように設定し、他方、係合部材にはその傾斜面が調整部材の傾斜面に当接する方向に向くように付勢させたばねを施し、調整部材を上下させることにより、その先端と係合部材の傾斜面との当接位置を変え、これによって係合部の傾斜角度を調節し、適切な位置で調整部材の位置をストライクフレームにねじ止めにより固定することを特徴とする。
【００１０】
【発明の実施の形態】
以下、図面に示す実施例に基いてこの発明について説明する。
図１〜図４において、符号１は例えば戸枠１０に固定されるストライクフレームで、正面に開口１２を有し周辺部が後方に向け折り曲げられたストライク板１１と、長さ方向（上下方向）の両端にフランジ部１４、１４を有するトロヨケ１３とから成り、戸枠１０における取付け穴２０の縁部に取付けねじ９１で締着されるものである。但し、ストライクフレーム１の形状や取付け方は図示例のものに限らない。
【００１１】
前記のストライクフレーム１内には、引戸錠のカマ（図示しない）が選択的に係合する係合部材２の一端を横軸２１で回動自在に枢支する。
【００１２】
この係合部材２は両側板２２、２２と係止部２３とから成り、通常１枚の板材を折り曲げて一体に作られる。
【００１３】
図示しない引戸錠の本体フレームから突出入されるカマは、図３・図４で矢印Ａのように振り出されて係合部材２の係止部２３に対し選択的に係合される。
【００１４】
このような構成のストライクは、前出の実開昭５８−１４３９４７号公報等に示され公知である。
【００１５】
この発明のストライクにおいては、ストライクフレーム１に対し前記係合部材２の他端に対向させて調整部材３を摺動可能に設ける。
【００１６】
図示例の調整部材３は両側板３１、３１と連結部３２とから成り、板材を折り曲げて一体に作られており、両側板３１、３１はトロヨケ１３の所要位置に設けたスリット１５、１５を通じ差し込まれている。
【００１７】
調整部材３は前記のスリット１５及びトロヨケ１３の一部を変形させた突起１８など任意の案内手段により案内される。
【００１８】
そして、係合部材２の他端、すなわち側板２２、２２の他端及び調整部材１３の一端、すなわち、側板３１、３１の一端には、それぞれ互に対向して当接させる傾斜面２４、３４を設け、係合部材２には、その傾斜面２４が調整部材３の傾斜面３４に当接させる方向に向くように付勢させたねじりばね等の位置決め用のばね４を施す。
【００１９】
前記の位置決め用のばね４は、引戸錠の装着後、子供がいたずらして、カマを突出させた状態でストライクの係合部材２に該カマを衝突させた時、緩衝の役割を果たし得る。
【００２０】
また、前記調整部材３における連結部３２とストライクフレーム１におけるトロヨケ１３のフランジ部１４との間は止めねじ９２で、締着固定する。
【００２１】
図１・図３・図４において、符号１６はストライク板１１に設けた長孔である操作孔、１７はトロヨケ１３のフランジ部１４に設けた長孔で、前記の止めねじ９２は操作孔６及び長孔１７を通じて調整部材３の連結部３２に設けたねじ孔にねじ込まれ、もってストライクフレーム１の一部をなすトロヨケ１３に対し長さ方向（上下方向）について変位可能な調整部材３を固定する。
【００２２】
図示の実施例において、図３の状態は係合部材２における係止部２３が最も後方（奥側）に引き込んだ状態である。
【００２３】
引戸錠の取り付け時や長期の使用後に、カマが係合する係合部材２の位置を適正となるように調整するには、図３で止めねじ９２を緩め、例えばドライバ等の工具の先で該止めねじ９２の頭部をこじるようにして下方へ調整部材３と共に移動させる（図４参照）。
【００２４】
調整部材３の移動に伴って、調整部材３の傾斜面３４と係合部材２の傾斜面２４との当接位置が変化して、ばね４の付勢力に抗してトロヨケ１３の底面に押し付けられていた係合部材２が、該ばね４の付勢力によって図４で右回りに揺動して係止部２３を更に突出させる。図４の状態は係合部材３における係止部２３の最大突出状態である。
【００２５】
上記のようにして調整部材３を長さ方向（上下方向）に摺動変位させ、係合部材２を最適の揺動角度位置に変位させたら、ストライクフレーム１に対し調整部材３を止めねじ９２で再び締着固定して、一連の調整作業を完了する。
【００２６】
なお、図示例のストライクは、戸先に固定された引戸錠に対応させるものとして戸枠１０に固定されたものを表しているが、この発明にかかるストライクは、引違いの２つの引戸の召し合わせ部分において、一方の引戸に対して設けることもできる。
【００２７】
また、本発明のストライクは引戸に対し直接設けてもよいし、引戸錠の一部をなすフレーム等を介して間接的に設けることもできる。
【００２８】
【発明の効果】
以上に説明したこの発明の引戸錠のストライクは、カマと係合部との関係位置の調整ができるに関わらず、構造が極めて簡単であること、部品点数が少ないこと、組立時の工程数を減少させることができること、コストダウンが計れること、並びに長期の使用においても係合部材を位置決めする調整部材の揺動による変動がないこと、など種々の効果を奏する。
【図面の簡単な説明】
【図１】この発明の引戸錠のストライクの実施例を示す正面図。
【図２】その底面図。
【図３】係合部材を最も引き込んだ状態で示すその縦断側面図。
【図４】係合部材を最も突出させた状態で示すその縦断側面図。
【符号の説明】
１  ストライクフレーム
２  係合部材
２４  傾斜面
３  調整部材
３４  傾斜面
４  ばね
９２  止めねじ
【図１】
0003784444.tif 000002
【図２】
0003784444.tif 000003
【図３】
0003784444.tif 000004
【図４】
0003784444.tif 000005